【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
パルス消毒剤源と処理サブシステムとを備えるシステムであって、
前記処理サブシステムは：１つ又は複数のプロセッサ；並びに
室の特徴に関するデータを受信し；
前記データに基づいて、前記室を消毒するための、前記パルス消毒剤源に関するパルス幅及び／又は前記パルス消毒剤源に関するパルス周波数を決定する
ために、前記１つ又は複数のプロセッサが実行可能なプログラム命令
を備える、システム。
【請求項２】
前記処理サブシステムは更に、前記パルス消毒剤源に関する１つ又は複数の追加の独立した動作パラメータを決定するために前記１つ又は複数のプロセッサが実行可能なプログラム命令を備え、
前記１つ又は複数の追加の動作パラメータは、前記パルス消毒剤源の実行時間、前記室内における前記パルス消毒剤源の位置、前記室の全体にわたって前記パルス消毒剤源が移動する速度、前記パルス消毒剤源を備える構成部品の配向、及び／又は前記パルス消毒剤源に供給される電力を含む、請求項１に記載のシステム。
【請求項３】
前記パルス消毒剤源は、前記システムを備える複数の前記パルス消毒剤源のうちの１つであり、
前記処理サブシステムは更に：
前記データに基づいて、前記複数のパルス消毒剤源それぞれに対して、前記室内の標的位置、領域、対象物又は表面を識別し；
前記複数のパルス消毒剤源に関して、前記標的位置、領域、表面又は対象物の消毒に特化された１つ又は複数の独立した前記動作パラメータを決定する
ために、前記１つ又は複数のプロセッサが実行可能なプログラム命令を備える、請求項１又は２に記載のシステム。
【請求項４】
前記複数のパルス消毒剤源のうちの少なくともいくつかは、別個の装置上に配置され、
前記処理サブシステムは、前記別個の装置に少なくとも部分的に均等配置され、これにより、前記別個の装置のうちの少なくとも１つは、前記１つ又は複数のプロセッサのうちの１つと、前記少なくとも１つの別個の装置を備える前記パルス消毒剤源の標的位置、領域、対象物又は表面に関する第１の標的情報を送信するために前記１つのプロセッサが実行可能なプログラム命令とを備え、
前記別個の装置のうちの少なくとも別の１つは：
前記１つ又は複数のプロセッサのうちの別のプロセッサ；並びに
前記第１の標的情報を受信し；
受信した前記第１の標的情報を、前記少なくとも１つの別の別個の装置を備える前記パルス消毒剤源の標的位置、領域、対象物又は表面に関する第２の標的情報と比較し；
比較された前記第１の標的情報及び前記第２の標的情報が、少なくとも前記１つの別個の装置及び前記少なくとも１つの別の別個の装置に関する標的位置、領域、対象物又は表面が互いから所定の距離内にあることを示す場合、前記少なくとも１つの別の別個の装置を備える前記パルス消毒剤源の１つ又は複数の前記動作パラメータを変化させる
ために、前記別のプロセッサが実行可能なプログラム命令
を備える、請求項３に記載のシステム。
【請求項５】
前記処理サブシステムは、前記データに基づいて、前記パルス消毒剤源に関する前記パルス幅及び／又は前記パルス周波数のスケジュールを決定するために、前記１つ又は複数のプロセッサが実行可能なプログラム命令を備える、請求項１〜４のいずれか１項に記載のシステム。
【請求項６】
前記室の前記特徴は、前記室内の家具及び／又は設備の位置を含み、
前記パルス消毒剤源に関する前記パルス幅及び／又は前記パルス周波数を決定するための前記プログラム命令は、前記室の床、壁及び／又は天井の表面に対して前記家具及び／又は前記設備の表面を優先的に消毒するために、前記パルス幅及び／又は前記パルス周波数を適合させることを含む、請求項１〜５のいずれか１項に記載のシステム。
【請求項７】
前記パルス消毒剤源は前記室内に固定して配設される、請求項１〜６のいずれか１項に記載のシステム。
【請求項８】
前記複数のパルス消毒剤源の少なくとも１つは携帯式である、請求項１〜６のいずれか１項に記載のシステム。
【請求項９】
前記パルス消毒剤源は、液体、ガス、蒸気、プラズマ及び／又は紫外線光消毒剤源を備える、請求項１〜８のいずれか１項に記載のシステム。
【請求項１０】
前記処理サブシステムは、前記システムによる消毒のための標的となる所定の微生物に基づいて、前記パルス消毒剤源に関するパルス強度を決定するために、前記１つ又は複数のプロセッサが実行可能なプログラム命令を備える、請求項１〜９のいずれか１項に記載のシステム。
【請求項１１】
室消毒装置であって；
殺菌ランプ；
前記殺菌ランプを動作させるための電源回路；
前記殺菌ランプから放出された光を、前記室消毒装置を配設した室のある領域へと収束又は発散させるよう構成され、かつ再位置決め可能なレンズを備える、非レーザレンズ系；
前記再位置決め可能なレンズを前記室消毒装置内の異なる位置に移動させるための、自動化された手段；及び
処理サブシステム
を備え、
前記処理サブシステムは：
プロセッサ；及び
反射した紫外線光を測定するために使用されるセンサから、紫外線光反射測定を受信し；
前記紫外線光反射測定に応答して、前記室消毒装置が光を放出している間に前記再位置決め可能なレンズを移動させるよう、前記自動化された手段にコマンドを送信する
ために前記プロセッサが実行可能なプログラム命令
を備える、室消毒装置。
【請求項１２】
前記非レーザレンズ系は、前記殺菌ランプの周囲の単一の環状ランプを備える、請求項１１に記載の室消毒装置。
【請求項１３】
前記非レーザレンズ系は、前記殺菌ランプを包囲しない１つ又は複数のレンズを備える、請求項１１に記載の室消毒装置。
【請求項１４】
前記室消毒装置を配設した前記室の特徴に関するデータを収集するためのシステムを更に備え、
前記処理サブシステムは更に：
前記データを取得し；
前記データに基づいて、前記再位置決め可能なレンズのための位置を決定し；
決定された前記位置に従って、前記再位置決め可能なレンズを移動させるよう、前記自動化された手段にコマンドを送信する
ために前記プロセッサが実行可能なプログラム命令を備える、請求項１１〜１３のいずれか１項に記載の室消毒装置。
【請求項１５】
前記非レーザレンズ系は、複数の前記再位置決め可能なレンズを含み、
前記室消毒装置は、前記複数の再位置決め可能なレンズを移動させるための１つ又は複数の自動化された手段を備え、
前記処理サブシステムは更に：
前記データに基づいて前記複数の再位置決め可能なレンズそれぞれのための位置を決定し；
決定された前記位置に従って、前記複数の再位置決め可能なレンズを移動させるよう、前記１つ又は複数の自動化された手段にコマンドを送信する
ために前記プロセッサが実行可能なプログラム命令を備える、請求項１４に記載の室消毒装置。
【請求項１６】
前記処理サブシステムは、前記室消毒装置から、消毒の目標となる領域及び／又は対象物までの距離に基づいて、前記殺菌ランプに対して前記再位置決め可能なレンズを移動させる距離を決定するために、前記プロセッサが実行可能なプログラム命令を備える、請求項１４に記載の室消毒装置。
【請求項１７】
前記殺菌ランプから放出される光を前記室の前記領域に対して再配向するよう構成された反射器システムを更に備える、請求項１１〜１６のいずれか１項に記載の室消毒装置。
【請求項１８】
前記非レーザレンズ系は、前記殺菌ランプの周囲で１つに接合された複数のレンズを備える、請求項１１〜１７のいずれか１項に記載の室消毒装置。
【請求項１９】
前記非レーザレンズ系は、前記殺菌ランプの周囲で離間している複数のレンズを備える、請求項１１〜１７のいずれか１項に記載の室消毒装置。
【請求項２０】
前記室消毒装置は、前記再位置決め可能なレンズを移動させるための前記自動化された手段が、前記再位置決め可能なレンズを前記ランプに向かって及び前記ランプから離れる方向に移動させるように構成されている、請求項１１〜１９のいずれか１項に記載の室消毒装置。